(57)【要約】【課題】操作信頼性を向上させた解錠コード可変シリンダ錠の提供を目的とする。【解決手段】ケース１内に回転自在に挿入され、ロータ側タンブラ２とコード変更体３とが積層状に装着されるとともに、ケース１との回転境界に開放されて前記コード変更体３を収容可能な収容凹部４を備え、解錠キー５に形成された解錠コード形成凹部６によりコード変更体３の両端のいずれかをケース１との回転境界面に位置させた際にケース１との相対回転が許容される解錠状態となるロータ７を有し、前記コード変更体３を収容凹部４に収容させてロータ側タンブラ２の端部を回転境界面に位置させる解錠コード形成凹部６のみに解錠条件を限定する解錠コード可変シリンダ錠であって、前記収容凹部４の底壁が、一端がロータ７に形成されるキー挿入溝８内に突出して解錠キー５により昇降操作される落ち込み防止ピン９により形成される。【選択図】　図１
2004052339.tif 000002
【特許請求の範囲】
【請求項１】
ケース内に回転自在に挿入され、ロータ側タンブラとコード変更体とが積層状に装着されるとともに、ケースとの回転境界に開放されて前記コード変更体を収容可能な収容凹部を備え、解錠キーに形成された解錠コード形成凹部によりコード変更体の両端のいずれかをケースとの回転境界面に位置させた際にケースとの相対回転が許容される解錠状態となるロータを有し、
前記コード変更体を収容凹部に収容させてロータ側タンブラの端部を回転境界面に位置させる解錠コード形成凹部のみに解錠条件を限定する解錠コード可変シリンダ錠であって、
前記収容凹部の底壁が、一端がロータに形成されるキー挿入溝内に突出して解錠キーにより昇降操作される落ち込み防止ピンにより形成される解錠コード可変シリンダ錠。
【発明の詳細な説明】
【０００１】
【発明の属する技術分野】
本発明は、解錠コード可変シリンダ錠に関するものである。
【０００２】
【従来の技術】
図７に利用者による解錠コードの変更操作が可能な解錠コード可変シリンダ錠の従来例を示す。
【０００３】
この従来例において、シリンダ錠は、図７（ａ）に示すように、シリンダケース１内にロータ７を回転自在に挿入して形成される。ロータ７には、ロータ側タンブラ２とコード変更体３とが積層状に装着されており、ロータ７内に所定の解錠コード形成凹部６を有する解錠キー５が挿入されると、コード変更体３とケース１側タンブラとの境界がロータ７の回転境界面に一致し、ロータ７を回転操作することができる。
【０００４】
このようなロータ７への回転操作は、図７（ｂ）に示すように、ロータ側タンブラ２とコード変更体３との境界を回転境界面に一致させることによっても可能であり、これら２種類の解錠可能な解錠コード形成凹部６を有する解錠キー５のうち、図７（ｂ）に示す切り込み深さの浅い解錠コード形成凹部６を有する解錠キー５を挿入して、ロータ７を時計回りに回転させると、ロータ７に形成された収容凹部４にコード変更体３が正対する回転位置においてコード変更体３は収容凹部４内に落ち込む。
【０００５】
この状態で、図７（ｃ）に示すように、ロータ７を初期回転位置に復帰させると、以後、コード変更体３はロータ側タンブラ２に対する積層位置から離れて収容凹部４内に留まり、図７（ｄ）に示すように、従来解錠可能であった切り込み深さの深い解錠コード形成凹部６を備えた解錠キー５による解錠操作が不能となる。
【０００６】
【発明が解決しようとする課題】
しかし、上述した従来例には以下の欠点がある。すなわち、図８（ａ）に示すように、切り込み深さの深い解錠コード形成凹部６を有する解錠キー５により施解錠操作を行っている際に、乱暴な操作等により偶発的にコード変更体３がケース１側タンブラを押しのけてシリンダケース１側に移動する可能性は皆無ではない。
【０００７】
この状態で、図８（ｂ）に示すように、ロータ７に回転操作を与えると、コード変更体３は収容凹部４内に落ち込んでしまい、図８（ｃ）に示すように、原回転位置に復帰すると、ケース１側タンブラがロータ７に落ち込んで回転境界面を閉塞するために施解錠操作が不能となる。
【０００８】
本発明は、以上の欠点を解消すべくなされたものであって、操作信頼性を向上させた解錠コード可変シリンダ錠の提供を目的とする。
【０００９】
【課題を解決するための手段】
本発明によれば上記目的は、
ケース１内に回転自在に挿入され、ロータ側タンブラ２とコード変更体３とが積層状に装着されるとともに、ケース１との回転境界に開放されて前記コード変更体３を収容可能な収容凹部４を備え、解錠キー５に形成された解錠コード形成凹部６によりコード変更体３の両端のいずれかをケース１との回転境界面に位置させた際にケース１との相対回転が許容される解錠状態となるロータ７を有し、前記コード変更体３を収容凹部４に収容させてロータ側タンブラ２の端部を回転境界面に位置させる解錠コード形成凹部６のみに解錠条件を限定する解錠コード可変シリンダ錠であって、
前記収容凹部４の底壁が、一端がロータ７に形成されるキー挿入溝８内に突出して解錠キー５により昇降操作される落ち込み防止ピン９により形成される解錠コード可変シリンダ錠を提供することにより達成される。
【００１０】
解錠コード可変シリンダ錠は、ケース側タンブラ１０とコード変更体３との境界をロータ７の回転境界面に合致させることによりロータ７への回転操作が許容されるコード変更前使用キー（第１解錠キー５Ａ）による回転操作を、コード変更体３を収容凹部４に収容することによって不能とし、ロータ側タンブラ２に付与された解錠コードに合致する解錠キー５（第２解錠キー５Ｂ）のみによって回転操作を可能とするように構成される。
【００１１】
第１解錠キー５Ａによる運用時においてロータ側タンブラ２上に積層されるコード変更体３の収容凹部４への搬送は、第２解錠キー５Ｂを使用してコード変更体３の下端を回転境界面に合致させ、コード変更体３をケース１側に残留させた状態でロータ７を収容凹部４がコード変更体３に対峙する回転位置まで回転させ、ケース１側からコード変更体３を収容凹部４に押し込むことにより達成される。
【００１２】
コード変更体３の収容凹部４の底壁は、ロータ７のキー挿入溝８内に一端が突出する落ち込み防止ピン９に形成されており、解錠キー５のプロフィールを適宜に決定することにより所定位置に駆動することができる。
【００１３】
いま、第２解錠キー５Ｂを使用したコード変更体３の搬送時において、該第２解錠キー５Ｂのプロフィールを、収容凹部４内にコード変更体３が収容可能な程度のスペースが確保可能なように設定しておくと、上述したコード変更体３の搬送動作に支障がでない。これに対し、第１解錠キー５Ａのプロフィールを、収容凹部４が落ち込み防止ピン９により実質的に閉塞される形状に設定しておくと、上述したように、第１解錠キー５Ａによる運用時に、誤ってコード変更体３が収容凹部４に脱落することを完全に防止することが可能になり、動作信頼性が向上する。
【００１４】
【発明の実施の形態】
図１に示すように、解錠コード可変シリンダ錠は、ケース１内に、紙面に対して奥行き方向に長い円柱状のロータ７を回転自在に挿入して形成される。ロータ７には、長手通しにキー挿入溝８が開設され、該キー挿入溝８に連通するように、ロータ側タンブラ挿通孔１１と、ピン挿通孔１２が所定の角度（θ）で交差するように開設される。ピン挿通孔１２はロータ７の外周部近傍において拡径されて収容凹部４とされる。
【００１５】
これらロータ側タンブラ挿通孔１１とピン挿通孔１２とは、ロータ７の回転中心に対して直交する同一平面（ピッチ面）上に各々の中心線（Ｃ１１、Ｃ１２）が属するように配置され、これら中心線（Ｃ１１、Ｃ１２）が属する平面はロータ７の長手方向に所定ピッチで複数枚配置される。
【００１６】
上記ピン挿通孔１２にはロータ側タンブラ２と、コード変更体３とが挿入される。ロータ側タンブラ２は、下端に截頭円錐形状のコード検知部２ａを有する段付きピン形状をなし、上端部の段部をピン挿通孔１２のストッパ段部１２ａに係止させることによりキー挿入溝８内への脱落が防止される。また、コード変更体３は、円板状に形成され、上記ロータ側タンブラ２の上端に積層される状態、すなわち、ロータ側タンブラ２よりケース１寄りに配置される。
【００１７】
上記収容凹部４は、上記コード変更体３が嵌合可能な径寸法を有し、ピン挿通孔１２には落ち込み防止ピン９が挿入される。落ち込み防止ピン９は、円柱状の軸部９ａの先端に、上記収容凹部４の底壁となる膨隆頭部９ｂを備え、該膨隆頭部９ｂをピン挿通孔１２の段部に係止させてキー挿入溝８内への脱落が防止される。この落ち込み防止ピン９の長手方向寸法は、図５に示すように、膨隆頭部９ｂが段部に係止された状態で、上記コード変更体３の高さ寸法と同一か、あるいはやや大寸のスペースが形成されるように設定される。
【００１８】
一方、上記ケース１には、図１に示すロータ７の初期回転位置においてロータ側タンブラ挿通孔１１とピン挿通孔１２とに各々連通するケース側タンブラ挿通孔１３とピン押さえタンブラ挿通孔１４とが開設され、ケース側タンブラ挿通孔１３にはケース側タンブラ１０が、ピン押さえタンブラ挿通孔１４にはピン押さえタンブラ１５がそれぞれ移動自在に挿入される。これらケース側タンブラ１０、およびピン押さえタンブラ１５は、タンブラスプリング１６によりロータ７方向に付勢され、さらに、ピン押さえタンブラ１５の径（ｄ１５）はロータ側タンブラ挿通孔１１の大径部の径（ｄ１１）より大きく、かつ、ケース側タンブラ１０の径（ｄ１０）は、ピン挿通孔１２の大径部、すなわち収容凹部４の径（ｄ４）より大きく設定される。
【００１９】
以上のように構成されるシリンダ錠の施解錠操作に使用される解錠キー５の断面形状を図２（ｂ）（ｃ）に示す。まず、解錠キー５をロータ７のキー挿入溝８に挿入しない状態において、図２（ａ）に示すように、タンブラスプリング１６により付勢されるケース側タンブラ１０は、ロータ側タンブラ２の段部がストッパ段部１２ａに当接する位置までコード変更体３とロータ側タンブラ２をロータ７内方に押し付ける。この状態でケース側タンブラ１０は、ロータ７の回転境界面を越えてロータ７内に侵入するために、上記回転境界面は閉塞された状態となり、ロータ７をケース１に対して相対回転させることはできない。
【００２０】
上記キー挿入溝８に挿入可能な断面形状を有する解錠キー５は、以上のようにして回転境界面を閉塞しているケース側タンブラ１０を図１に示すように、下端がロータ７境界面上に位置するまで移動させ、ロータ７への回転操作を許容するためのもので、キー挿入溝８に完全に挿入した状態で上記ロータ７のピッチ面に合致する位置に解錠コード形成凹部６を備える。解錠コード形成凹部６は、図１、図２（ｂ）に示すように、ロータ側タンブラ２のコード検知部２ａが嵌合可能な形状に形成され、解錠キー５の中心線から解錠コード形成凹部６までの寸法（Ｌ）が対応するロータ側タンブラ２への設置値（解錠コード）に一致すると、図１に示すように、回転可能状態となる。これに対し、上記寸法が過小、あるいは過大であると、ケース側タンブラ１０、あるいはコード変更体３がロータ７の回転境界面上に飛び出し、ロータ７の回転を禁止する。
【００２１】
ロータ側タンブラ挿通孔１１内にロータ側タンブラ２とコード変更体３が積層状に収容される本発明において、ロータ７のケース１に対する相対回転は、上述したように、ケース側タンブラ１０とコード変更体３との境界を回転境界面に位置させる以外に、図５（ａ）に示すように、ロータ側タンブラ２とコード変更体３との境界を回転境界面に位置させることによっても可能であり、これら各々の場合について２種類の解錠コードが設定される。以下、本明細書において前者の解錠コードに対応する解錠コード形成凹部６が形成された解錠キー５を第１解錠キー５Ａ、後者の解錠コードに対応するものを第２解錠キー５Ｂという。
【００２２】
いま、第１解錠キー５Ａにより運用されているシリンダ錠を想定する。第１解錠キー５Ａは、上述した解錠コード形成凹部６に加えてピン押さえ部５ａを備えており、図１、２に示すように、ロータ７に挿入した状態で落ち込み防止ピン９の膨隆頭部９ｂの上端がロータ７の回転境界面に一致する位置まで引き上げられる。
【００２３】
この結果、コード変更体３の収容凹部４は、実質的に閉塞された状態となり、図３（ａ）に示すように、偶発的にコード変更体３がケース側タンブラ１０を押しのけてケース側タンブラ挿通孔１３に侵入しても、図３（ｂ）に示すように、コード変更体３が収容凹部４内に落ち込むことはない。
【００２４】
また、図４（ａ）に示すように、コード変更体３がケース側タンブラ挿通孔１３に侵入した状態で、図４（ｂ）に示すように、ロータ側タンブラ挿通孔１１とピン押さえタンブラ１５とが正対しても、ピン押さえタンブラ１５の径はロータ側タンブラ挿通孔１１の大径部の径より大きいために、ピン押さえタンブラ１５がロータ側タンブラ挿通孔１１に落ち込んで回転操作ができなくなることはない。
【００２５】
このような第１解錠キー５Ａによる運用から、第２解錠キー５Ｂによる運用への変更は、第２解錠キー５Ｂを挿入することにより行われる。図２（ｃ）に示すように、第２解錠キー５Ｂのピン押さえ部５ａは、第１解錠キー５Ａに比して深く設定されており、該第２解錠キー５Ｂを挿入した状態で、図５（ａ）に示すように、落ち込み防止ピン９の膨隆頭部９ｂはロータ７中心側に移動し、収容凹部４の容積を、コード変更体３が収容可能な程度に拡大することができる。
【００２６】
したがって、図５（ａ）に示す初期回転位置から、ロータ７を図５（ｂ）に示すように、反時計回りに回転させ、収容凹部４がコード変更体３に正対すると、ケース側タンブラ１０によりロータ７中心に向けて付勢されるコード変更体３は、収容凹部４に落ち込み、この後、図５（ｃ）に示す初期回転位置にロータ７を復帰させると、以後、ロータ７は第２解錠キー５Ｂによってのみ回転操作が可能であり、第１解錠キー５Ａによる回転操作が不能になる。
【００２７】
また、この場合、図６（ａ）に示すように、第２解錠キー５Ｂでの運用中に、偶発的にコード変更体３がケース側タンブラ挿通孔１３に侵入した後、図６（ｂ）に示すように、ケース側タンブラ１０と収容凹部４とが正対しても、ケース側タンブラ１０の径は収容凹部４より大径であるために、ケース側タンブラ１０が収容凹部４に落ち込んで回転操作ができなくなることはない。
【００２８】
【発明の効果】
以上の説明から明らかなように、本発明によれば、操作信頼性を向上させることができる。
【図面の簡単な説明】
【図１】第１解錠キーを挿入した状態を示す断面図である。
【図２】本発明を示す図で、（ａ）は解錠キーを挿入しない状態を示す断面図、（ｂ）は第１解錠キーの断面図、（ｃ）は第２解錠キーの断面図である。
【図３】第１解錠キーによる運用を示す断面図である。
【図４】本発明の作用を示す断面図である。
【図５】第２解錠キーにより運用を示す断面図である。
【図６】第２解除キーによる運用時の動作を示す図である。
【図７】従来例を示す説明図である。
【図８】従来例の問題を示す説明図である。
【符号の説明】
１　　　　ケース
２　　　　ロータ側タンブラ
３　　　　コード変更体
４　　　　収容凹部
５　　　　解錠キー
６　　　　解錠コード形成凹部
７　　　　ロータ
８　　　　キー挿入溝
９　　　　落ち込み防止ピン
【図１】
2004052339.tif 000003
【図２】
2004052339.tif 000004
【図３】
2004052339.tif 000005
【図４】
2004052339.tif 000006
【図５】
2004052339.tif 000007
【図６】
2004052339.tif 000008
【図７】
2004052339.tif 000009
【図８】
2004052339.tif 000010